(57)【要約】【課題】  ユーザにとって使い勝手がよく、かつセキュリティを向上させた画像出力システムを提供する。【解決手段】  携帯端末５００のユーザは、携帯端末５００において、サーバ内のデータの中から出力データ（４）およびデータをプリント出力するＭＦＰを選択する（５）。サーバ４００は、認証データを作成し、選択されたＭＦＰ１００に認証データを送信する（８）。ＭＦＰ１００は、認証データを表示する（９）。携帯端末５００は、認証データを撮影により取得し（１０）、サーバ４００に送信する（１１）。サーバ４００は、作成した認証データと携帯端末より送信されてきたデータとを照合し（１２）、それらが同じであれば、ＭＦＰ１００に対してその認証データに対応するプリントデータの送信を開始する（１３）。これによりＭＦＰ１００でプリントが行なわれる。【選択図】        図６
2005327110.tif 000002
【特許請求の範囲】
【請求項１】
ユーザによって持ち運び可能な携帯端末と、
データを蓄積し、外部に送信することができるデータ出力装置と、
データをプリントすることができるデータプリント装置とから構成されるデータ出力システムであって、
前記携帯端末は、
前記データ出力装置に蓄積されたデータのうち所望のもの、およびそれをプリントするデータプリント装置を選択する選択手段と、
前記選択結果を前記データ出力装置に送信する選択結果送信手段とを含み、
前記データ出力装置は、
前記携帯端末の選択結果送信手段から送信された選択結果に基づき、選択されたデータプリント装置に認証データを送信する認証データ送信手段を含み、
前記データプリント装置は、
前記データ出力装置の認証データ送信手段から送信された認証データを表示する表示手段を含み、
前記携帯端末は、
前記データプリント装置の表示手段に表示された認証データを撮影により取得する取得手段と、
前記取得された認証データを前記データ出力装置に送信する認証データ送信手段とをさらに含み、
前記データ出力装置は、
前記携帯端末の認証データ送信手段から送信された認証データと、前記データ出力装置の認証データ送信手段が送信した認証データとを照合する照合手段と、
前記照合手段での照合結果が一致すれば、前記携帯端末で選択されたデータを前記データプリント装置に送信するデータ送信手段とをさらに含み、
前記データプリント装置は、
前記前記データ出力装置のデータ送信手段から送信されたデータをプリントするプリント手段をさらに含む、データ出力システム。
【請求項２】
前記携帯端末の選択手段は、データをプリントするデータプリント装置の少なくとも一部を撮影することによりデータプリント装置の選択を行なう、請求項１に記載のデータ出力システム。
【請求項３】
前記データ出力装置は、蓄積されたデータの一覧を作成する作成手段をさらに備え、
前記携帯端末の選択手段は、前記一覧から所望のデータの選択を行なう、請求項１または２に記載のデータ出力システム。
【請求項４】
前記作成手段は、データが蓄積された時点で一覧を作成する、請求項３に記載のデータ出力システム。
【請求項５】
蓄積されたデータを外部に送信することができるデータ出力装置であって、
データを蓄積する蓄積手段と、
前記蓄積手段に蓄積されたデータのうち所望のもの、およびそれをプリントするデータプリント装置を選択するための、携帯端末から送信された選択結果を受信する選択結果受信手段と、
前記受信された選択結果に基づき、選択されたデータプリント装置に認証データを送信する認証データ送信手段と、
前記認証データ送信手段での送信に基づいて前記携帯端末から送信された、表示された認証データを前記携帯端末で撮影することにより得られた画像データである認証データと、前記認証データ送信手段が送信した認証データとを照合する照合手段と、
前記照合手段での照合結果が一致すれば前記携帯端末で選択されたデータを前記選択されたデータプリント装置に送信するデータ送信手段とを備えた、データ出力装置。
【請求項６】
前記データプリント装置を選択するための、前記携帯端末から送信された選択結果は、データをプリントするデータプリント装置の少なくとも一部を撮影することにより得られた画像データである、請求項５に記載のデータ出力装置。
【請求項７】
前記携帯端末で撮影することにより得られた画像データを解析する解析手段をさらに備えた、請求項５または６に記載のデータ出力装置。
【請求項８】
蓄積されたデータの一覧を作成する作成手段をさらに備え、
前記携帯端末は、前記一覧から所望のデータの選択を行なう、請求項５〜７のいずれかに記載のデータ出力装置。
【請求項９】
前記作成手段は、データが蓄積された時点で一覧を作成する、請求項８に記載のデータ出力装置。
【請求項１０】
蓄積されたデータを外部に送信することができるデータ出力装置の制御プログラムであって、
データを蓄積する蓄積ステップと、
前記蓄積ステップで蓄積されたデータのうち所望のもの、およびそれをプリントするデータプリント装置を選択するための、携帯端末から送信された選択結果を受信する選択結果受信ステップと、
前記受信された選択結果に基づき、選択されたデータプリント装置に認証データを送信する認証データ送信ステップと、
前記認証データ送信ステップでの送信に基づいて前記携帯端末から送信された、表示された認証データを前記携帯端末で撮影することにより得られた画像データである認証データと、前記認証データ送信手段が送信した認証データとを照合する照合ステップと、
前記照合ステップでの照合結果が一致すれば前記携帯端末で選択されたデータを前記選択されたデータプリント装置に送信するデータ送信ステップとをコンピュータに実行させる、データ出力装置の制御プログラム。
【発明の詳細な説明】
【技術分野】
【０００１】
この発明はデータ出力システム、およびデータ出力装置に関し、蓄積されたデータの中から所望のものを送信し、プリントすることが可能なデータ出力システム、およびデータ出力装置に関する。
【背景技術】
【０００２】
従来より、ＭＦＰ（Multi Function Peripherals）、プリンタなどのプリント機能を備えたデバイスが存在し、サーバに画像データを蓄積しておき、サーバからダウンロードしたデータをＭＦＰなどでプリントすることが行なわれている。
【０００３】
遠隔地からサーバ内のデータを印刷する場合には、データにパスワードの設定などが行われる。
【０００４】
なお、データの送信に関する技術に関して、以下の特許文献１は、携帯電話のデバイスアドレスをバーコードで示して液晶ディスプレイ上に表示し、カメラでこのバーコードを撮影し、カメラのＣＰＵでその画像情報を処理して、携帯電話のデバイスアドレスを取得する技術を開示する。
【０００５】
特許文献２は、携帯電話が、カメラにより撮影された対象物の画像データを表示部に表示し、画像データに含まれる文字領域の範囲をキー入力部により指定し、この画像データおよび指定された文字領域の範囲情報を通信ネットワークを介して画像処理サーバに送信する技術を開示している。画像処理サーバは、内部に有する文字認識機能により携帯電話から受信した画像データに含まれる文字を認識してテキストデータに変換して、このテキストデータを携帯電話に送信する。携帯電話は、画像処理サーバから送信されたテキストデータを受信する。
【０００６】
特許文献３は、ＰＣ（パーソナルコンピュータ）上にデジカメが搭載されており、これで撮影された画像から文字情報を切出してＯＣＲ（光学式文字読取り）を行い、＠マークがあればメールアドレスと認識する技術を開示している。メールアドレスと認識されると「送信先と指定しますか？」というメッセージ表示し、ＯＫキーが押下されることでメーラーソフトが起動してメール送信画面になり、必要な本文を入力して送信する。
【特許文献１】特開２００３−１６９１８７号公報
【特許文献２】特開２００２−３５２１９０号公報
【特許文献３】特開２０００−２０７３０１号公報
【発明の開示】
【発明が解決しようとする課題】
【０００７】
しかしながら、従来のＭＦＰでサーバからのデータをプリントする場合には、セキュリティの設定やユーザの操作が煩雑になるという問題があった。特に、コンビニエンスストアなどに設置されたＭＦＰでデータの出力を行なう場合には、関係のない者がデータのプリントを行なうことができないようにする必要がある反面、パスワード入力などの複雑な操作を要求すると、ユーザの利便性が損なわれてしまうのである。
【０００８】
この発明は、上記問題点を解決するためになされたものであり、ユーザにとって使い勝手がよく、かつセキュリティを向上させたデータ出力システムおよびデータ出力装置を提供することを目的としている。
【課題を解決するための手段】
【０００９】
上記目的を達成するためこの発明のある局面に従うと、データ出力システムは、ユーザによって持ち運び可能な携帯端末と、データを蓄積し、外部に送信することができるデータ出力装置と、データをプリントすることができるデータプリント装置とから構成されるデータ出力システムであって、携帯端末は、データ出力装置に蓄積されたデータのうち所望のもの、およびそれをプリントするデータプリント装置を選択する選択手段と、選択結果をデータ出力装置に送信する選択結果送信手段とを含み、データ出力装置は、携帯端末の選択結果送信手段から送信された選択結果に基づき、選択されたデータプリント装置に認証データを送信する認証データ送信手段を含み、データプリント装置は、データ出力装置の認証データ送信手段から送信された認証データを表示する表示手段を含み、携帯端末は、データプリント装置の表示手段に表示された認証データを撮影により取得する取得手段と、取得された認証データをデータ出力装置に送信する認証データ送信手段とをさらに含み、データ出力装置は、携帯端末の認証データ送信手段から送信された認証データと、データ出力装置の認証データ送信手段が送信した認証データとを照合する照合手段と、照合手段での照合結果が一致すれば、携帯端末で選択されたデータをデータプリント装置に送信するデータ送信手段とをさらに含み、データプリント装置は、データ出力装置のデータ送信手段から送信されたデータをプリントするプリント手段をさらに含む。
【００１０】
好ましくは携帯端末の選択手段は、データをプリントするデータプリント装置の少なくとも一部を撮影することによりデータプリント装置の選択を行なう。
【００１１】
好ましくはデータ出力装置は、蓄積されたデータの一覧を作成する作成手段をさらに備え、携帯端末の選択手段は、一覧から所望のデータの選択を行なう。
【００１２】
好ましくは作成手段は、データが蓄積された時点で一覧を作成する。
【００１３】
この発明の他の局面に従うと、蓄積されたデータを外部に送信することができるデータ出力装置は、データを蓄積する蓄積手段と、蓄積手段に蓄積されたデータのうち所望のもの、およびそれをプリントするデータプリント装置を選択するための、携帯端末から送信された選択結果を受信する選択結果受信手段と、受信された選択結果に基づき、選択されたデータプリント装置に認証データを送信する認証データ送信手段と、認証データ送信手段での送信に基づいて携帯端末から送信された、表示された認証データを携帯端末で撮影することにより得られた画像データである認証データと、認証データ送信手段が送信した認証データとを照合する照合手段と、照合手段での照合結果が一致すれば携帯端末で選択されたデータを選択されたデータプリント装置に送信するデータ送信手段とを備える。
【００１４】
好ましくはデータプリント装置を選択するための、携帯端末から送信された選択結果は、データをプリントするデータプリント装置の少なくとも一部を撮影することにより得られた画像データである。
【００１５】
好ましくはデータ出力装置は、携帯端末で撮影することにより得られた画像データを解析する解析手段をさらに備える。
【００１６】
好ましくはデータ出力装置は、蓄積されたデータの一覧を作成する作成手段をさらに備え、携帯端末は、一覧から所望のデータの選択を行なう。
【００１７】
好ましくは作成手段は、データが蓄積された時点で一覧を作成する。
【００１８】
この発明のさらに他の局面に従うと、蓄積されたデータを外部に送信することができるデータ出力装置の制御プログラムは、データを蓄積する蓄積ステップと、蓄積ステップで蓄積されたデータのうち所望のもの、およびそれをプリントするデータプリント装置を選択するための、携帯端末から送信された選択結果を受信する選択結果受信ステップと、受信された選択結果に基づき、選択されたデータプリント装置に認証データを送信する認証データ送信ステップと、認証データ送信ステップでの送信に基づいて携帯端末から送信された、表示された認証データを携帯端末で撮影することにより得られた画像データである認証データと、認証データ送信手段が送信した認証データとを照合する照合ステップと、照合ステップでの照合結果が一致すれば携帯端末で選択されたデータを選択されたデータプリント装置に送信するデータ送信ステップとをコンピュータに実行させる。
【発明の効果】
【００１９】
この発明に従うと、ユーザにとって使い勝手がよく、かつセキュリティを向上させたデータ出力システムおよびデータ出力装置を提供することができる。
【発明を実施するための最良の形態】
【００２０】
図１は、本発明の実施の形態の１つにおける、データ出力装置を備えたデータ出力システムの構成を示す図である。
【００２１】
図を参照して、データ出力システムは、それぞれがネットワークに接続されたデータプリント装置としてのＭＦＰ（またはプリンタなど）１００ａ，１００ｂと、データ出力装置としてのサーバ４００と、携帯電話、ＰＤＡなどのユーザによって持ち運び可能な携帯端末５００とから構成される。
【００２２】
なお、ＭＦＰ１００ａ，１００ｂ、サーバ４００、および携帯端末５００の接続は、ＬＡＮ、ＷＡＮ、インターネット、専用回線、無線通信などを用いることができる。また、ＭＦＰ１００ａ，１００ｂおよびサーバ４００は、同じ建物の中に備えられていてもよいし、それぞれが異なる建物内に備えられていてもよい。例えば、サーバ４００は、管理センター内に設け、ＭＦＰ１００ａはコンビニエンスストアＡ店に設け、ＭＦＰ１００ｂはコンビニエンスストアＢ店内に設けることができる。
【００２３】
サーバ４００内には、ＭＦＰ１００ａ，１００ｂから読出してプリント出力することができる電子データが蓄積されており、携帯端末５００のユーザは、携帯端末５００の画面からそれを閲覧することができる。プリントさせたいデータが見付かると、ユーザはそのデータを選択する指示を携帯端末５００に入力する。また、このときユーザはそのデータを出力するＭＦＰを選択する指示を携帯端末５００に入力する。
【００２４】
それらの入力された指示は、サーバ４００に送られる。これに応じてサーバ４００はプリントを行なうための認証データを作成する。認証データは、選択されたＭＦＰ（ここではＭＦＰ１００ａとする）に送られる。認証データはＭＦＰ１００ａにおいて格納、および表示される。
【００２５】
ユーザは指定したＭＦＰ１００ａの前まで行き、携帯端末５００にＭＦＰ１００ａに格納または表示された認証データを取込む。取込まれた認証データをサーバ４００に送信すると、サーバは携帯端末５００から入力した認証データと、ＭＦＰ１００ａに送信した認証データとが一致するかを判断する。一致するのであれば、サーバ４００は、ＭＦＰ１００ａにプリントデータを送信する。これにより、ＭＦＰ１００ａでユーザ所望のデータのプリントが行なわれる。ユーザは、どこでもサーバに保存しているデータの出力が可能となる。
【００２６】
図２は、図１のＭＦＰ１００ａ，１００ｂの一台の構成を示すブロック図である。ＭＦＰ（Multi-Function Peripherals）１００は、スキャナ機能、複写機能、ファックス機能、プリンタ機能等を備えた複合機である。
【００２７】
図を参照して、ＭＦＰ１００は、装置全体を制御するためのＣＰＵ１０１と、プログラムや定数を記録するメモリ１０３と、ＣＰＵ１０１およびメモリ１０３とに接続され、バスとの間でデータの送受信を行なうブリッジ１０５と、ネットワーク（ここではイーサネット（登録商標）を想定している）に接続するためのインタフェース１０７と、携帯端末５００との間で赤外線通信を行なうための赤外線通信部１０９と、携帯端末５００との間で無線通信を行なうためのＢｌｕｅｔｏｏｔｈ通信部１１１と、認証データを表示させたりユーザからの入力を受付ける操作パネル１１３と、データを記憶するハードディスク１１５と、画像データを読取るスキャナ１１７と、データをプリント出力するプリンタ１１９とを備えている。各ブロックは、バスを介して接続されている。
【００２８】
図３は、図１のサーバ４００のハードウェア構成を示すブロック図である。これは、一般的なパーソナルコンピュータにより構成される。
【００２９】
図を参照して、サーバ４００は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００３０】
フレキシブルディスクドライブ６１１により、フレキシブルディスクＦに記録されたプログラムなどのデータを読取ることが可能であり、ＣＤ−ＲＯＭドライブ６１３により、ＣＤ−ＲＯＭ６１３ａに記録されたプログラムなどのデータを読取ることが可能である。
【００３１】
図４は、サーバ４００の機能を示すブロック図である。
【００３２】
図を参照して、サーバ４００は、装置全体を制御するためのＣＰＵ６０１と、プログラムや定数を記録するメモリ２０３と、ＣＰＵ６０１およびメモリ２０３とに接続され、バスとの間でデータの送受信を行なうブリッジ２０５と、ネットワーク（ここではイーサネット（登録商標）を想定している）に接続するためのインタフェース２０７と、認証データを解析するための認証データ解析部２１１と、データを記憶するハードディスク６１５と、ハードディスク内のデータの一覧を表示するためのＷｅｂページを作成するＷｅｂページ作成部２１３とを備えている。
【００３３】
図５は、携帯端末５００の構成を示す図である。
【００３４】
図を参照して、携帯端末５００は、装置全体を制御するためのＣＰＵ５０１と、Ｗｅｂページを表示する機能を持つ表示部５０３と、プログラムや定数を記録するメモリ５０５と、ネットワークに接続することができ、また、赤外線通信やＢｌｕｅｔｏｏｔｈによる通信を実行する通信部５０７と、ユーザからの入力を受付ける入力部５０９と、音声の入出力を行なう音声入出力部５１１と、画像を撮影し入力するカメラ５１３とを備えている。
【００３５】
図６は、ＭＦＰ１００、サーバ４００、および携帯端末５００で行なわれるデータの送受信を説明するための図である。かかる処理は、各機器それぞれにインストールされた制御プログラムに従って、各装置のＣＰＵが実行する。
【００３６】
以下、図面内の（１）〜（１４）の数字に対応させて各機器で行なわれる処理について時系列に説明する。
【００３７】
（１）  事前にデータがサーバ４００内のハードディスクドライブ６１５に保存される（データａａａ，ｂｂｂ、ｃｃｃ）。
【００３８】
（２）  サーバ４００のＷｅｂページ作成部２１３は、サーバ４００内のデータを一覧表示するＷＥＢページ３０１を生成する。
【００３９】
（３）  携帯端末５００のユーザは、携帯端末５００からそのＷｅｂページを閲覧する。
【００４０】
（４）  携帯端末５００のユーザは、携帯端末５００において、出力データを選択し、その選択内容を入力部５０９を用いて入力する。
【００４１】
（５）  携帯端末５００のユーザは、携帯端末５００において、データをプリント出力するＭＦＰを選択する。ここで、選択方法として、以下のいずれかの手法を採用するものとする。
【００４２】
（ア）  あらかじめ、ＭＦＰ１００ａ，１００ｂにユニークなパターン（バーコードなど）やＩＰアドレスなどを割り当てておく。携帯端末５００のユーザは、プリント出力するＭＦＰの傍に行き、そのパターンやＩＰアドレスを赤外線通信、Ｂｌｕｅｔｏｏｔｈ、カメラ撮影などで携帯端末に取得する。そのパターンやＩＰアドレスは、携帯端末５００からサーバ４００に送信し、サーバ４００側で解析を行い、データを出力するＭＦＰを特定する。
【００４３】
（イ）  サーバ４００内でデータ閲覧Ｗｅｂページを用意し、プリント出力可能なＭＦＰ（およびプリンタなど）一覧を携帯端末５００に表示させ、そこからプリント出力するＭＦＰを特定するユーザ入力を受付ける。
【００４４】
（６）  携帯端末５００からサーバ４００に対して、プリント要求が送信される。なお、この送信は、上記（４）で出力データを選択した後に、（５）でプリント出力するＭＦＰを選択すると自動的に行なわれるため、特にユーザが意識して入力などを行なわなくともよい。
【００４５】
（７）  サーバ４００は、認証データを作成する。なお、ここで作成する認証データはユニークなものでであり、数字の羅列、パターンなどを用いることができる。
【００４６】
（８）  サーバ４００は、ＭＦＰ１００に認証データを送信する。
【００４７】
（９）  認証データを受信したＭＦＰ１００は、認証データを表示する。これにより、認証データを受信したことをユーザに告知することができる。
【００４８】
（１０）  携帯端末５００は、認証データをＭＦＰ１００から取得する。この取得方法は、赤外線通信、Ｂｌｕｅｔｏｏｔｈ、カメラ撮影などによるものとする。
【００４９】
（１１）  携帯端末５００は、取得した認証データをサーバ４００に送信する。
【００５０】
（１２）  サーバ４００は、作成した認証データと携帯端末より送信されてきたデータとを照合する。
【００５１】
（１３）  照合した結果、作成した認証データと携帯端末より送信されてきたデータとが同じものであれば、サーバ４００は、ＭＦＰ１００に対してその認証データに対応するプリントデータの送信を開始する。
【００５２】
（１４）  ＭＦＰ１００でプリントが行なわれる。
【００５３】
なお、携帯端末のＩＤをサーバに送信するようにし、プリント要求を送信した携帯端末と、認証データを送信した携帯端末とのＩＤが一致しなければプリントデータの送信を行わないようにシステムを構成してもよい。
【００５４】
図７は、サーバ４００の動作を示すフローチャートである。
【００５５】
図を参照して、ステップＳ１０１でデータが保存される度に、データの一覧を示すＷｅｂページを作成（または更新）する。ステップＳ１０３で、携帯端末５００からのプリント要求に従い認証データを作成し、指定されたＭＦＰに送信する処理を行なう。
【００５６】
ステップＳ１０５で、携帯端末５００より認証データが送られてきたのであれば、それを保存された認証データと照合する。ステップＳ１０１〜Ｓ１０３の処理を繰返し行なう。
【００５７】
図８は、図７のＷｅｂページ作成処理を示すフローチャートである。
【００５８】
図を参照して、ステップＳ１２１で、新たにハードディスクにデータが保存されたかが判定され、ＹＥＳであればステップＳ１２３で、ハードディスク内のデータ一覧を表示するためのＨＴＭＬによるＷｅｂページを作成する。
【００５９】
ステップＳ１２１でＮＯであれば、メインフローに返る。
【００６０】
図９は、図７の認証データ作成処理を示すフローチャートである。
【００６１】
図を参照して、ステップＳ１４１で認証データ作成要求があったかどうか判断する。要求があれば、ステップＳ１４３で認証データを作成する。また、ステップＳ１４５で、作成した認証データをプリント出力先のＭＦＰへ送信し、メインフローに返る。要求がなければ、そのままメインフローに返る。認証データは、ユニークな文字列、数列、パターンなどで構成される。
【００６２】
図１０は、図７の認証データ照合処理を示すフローチャートである。
【００６３】
図を参照してまず、ステップＳ１６１で、認証データを受信しているかの判断をする。受信していれば、ステップＳ１６３で、受信した認証データを作成したデータと照合し、ステップＳ１６５で同じものであれば、ステップＳ１６７で印刷データをプリント出力を行なうＭＦＰに送信する。同じものでなければ、メインフローに返る。
【００６４】
また、認証データを受信していなければ、メインフローに返る。
【００６５】
なお、認証データとしてカメラで撮影された画像データが送られた時は、サーバはその画像データを解析し、照合を行なう。このようにサーバで解析処理を行なうことで、携帯端末に解析機能を持たせることが不要となる。出力先のＭＦＰ情報が画像データとして送られた時も同様である。
【００６６】
なお、認証データの照合が不一致であれば、ジョブを破棄するようにしてもよい。
【００６７】
図１１は、携帯端末が行なう処理を示すフローチャートである。
【００６８】
図を参照して、ステップＳ２０１でサーバ４００の作成したＷｅｂページを閲覧する処理を行なう。
【００６９】
ステップＳ２０３で、出力したいデータの選択（データ識別情報の入力）をユーザから受付ける。ステップＳ２０５で、出力先のＭＦＰ（またはプリンタ）の選択をユーザから受付ける。
【００７０】
ステップＳ２０７〜Ｓ２１５は、出力先のＭＦＰを選択する処理ステップである。
【００７１】
ステップＳ２０７は、赤外線またはＢｌｕｅｔｏｏｔｈの通信によってＭＦＰの選択を受付けるステップである。これは、ＭＦＰの記憶装置に、予めそのＭＦＰを特定するコードを記録しておき、それを通信により取得するものである。
【００７２】
ステップＳ２０９は、ＷｅｂページからＭＦＰの選択を受付けるステップである。これは、ステップＳ２０１で表示される出力データの閲覧ページにリンクされている、出力プリンタ（ＭＦＰ）一覧ページより選択を受付けるものである。
【００７３】
ステップＳ２１３およびＳ２１５は、カメラ撮影によりＭＦＰの選択を受付けるステップである。これは、ユーザがプリント出力を行いたいＭＦＰに付されたそのＭＦＰを特定するためのマーク、数値、バーコードなどの画像（これらはＭＦＰにシールなどで添付しておいてもよいし、ユーザからのキー入力などに基づき操作パネル１１３に表示するようにしてもよい。）をカメラにより撮影し、それによりＭＦＰを特定するものである。なお、ステップＳ２０３での出力データ選択の後、携帯端末５００は自動的にカメラ撮影モード（画像撮影準備処理）に移行するようにしてもよい。また、撮影に合わせて送信モードに移行するようにしてもよい。また、送信モード下で画像を撮影すると、これに連動して識別された宛先（ここではサーバ）にデータを送信するようにしてもよい。
【００７４】
また、宛先となるＭＦＰの撮影に連動して、その画像をサーバ４００に自動送信することとしてもよい。
【００７５】
ステップＳ２１３でカメラ撮影が行なわれると、ステップＳ２１５で、撮影されたデータは、プリントデータの宛先を示す情報として設定される。
【００７６】
出力先ＭＦＰを特定するための情報は、ステップＳ２１１で自動的にサーバ４００に送信される。
【００７７】
ステップＳ２１７の携帯端末５００によるＭＦＰからの認証データの取得においては、ステップＳ２１９での赤外線またはＢｌｕｅｔｏｏｔｈによる取得、またはステップＳ２２１でのカメラ撮影による取得が行なわれる。
【００７８】
赤外線またはＢｌｕｅｔｏｏｔｈによる取得においては、ＭＦＰの記憶装置に記録された認証データを通信により取得するものである。カメラ撮影による取得においては、ＭＦＰの操作パネル１１３に表示された認証データ（マーク、数値、バーコードなど）の画像をカメラにより撮影し、それにより認証データを取得するものである。
【００７９】
取得された認証データは、ステップＳ２２３でサーバ４００に送信される。
【００８０】
認証データを撮影により取得したり、近距離の通信により取得することにより、ユーザがＭＦＰの前にいることを識別することができ、サーバはデータＭＦＰへ送信してよいことを判定することができる。
【００８１】
また、認証データの送信、ＭＦＰ情報の送信は有線で行なってもよい。
【００８２】
図１２は、ＭＦＰが行なう処理を示すフローチャートである。
【００８３】
図を参照して、ステップＳ３０１でＭＦＰ情報の表示の要求があったかの判断を行う。ＭＦＰ情報とは、そのＭＦＰを特定するための情報である。ステップＳ３０３で、データの受信処理を行なう。
【００８４】
図１３は、図１２のステップＳ３０１でのＭＦＰ情報表示処理を示すフローチャートである。
【００８５】
ステップＳ３２１で、ＭＦＰ情報表示要求がユーザからあったかが判定され、ＹＥＳであれば、ステップＳ３２３でＭＦＰ情報をパネルに表示する。なければメインフローに返る。
【００８６】
ステップＳ３２５で、赤外線またはＢｌｕｅｔｏｏｔｈでの情報送信要求があったかの判断を行う。要求があれば、ステップＳ３２７で赤外線またはＢｌｕｅｔｏｏｈでＭＦＰ情報を送信し、メインフローに返る。
【００８７】
図１４は、図１２のステップＳ３０３でのデータ受信処理を示すフローチャートである。
【００８８】
図を参照して、ステップＳ３４１で、認証データをサーバ４００から受信したかの判断を行う。受信していれば、ステップＳ３４３で認証データを操作パネルに表示し、ユーザに認証データを受信したことを知らせる。
【００８９】
その後、ステップＳ３２５で、赤外線またはＢｌｕｅｔｏｏｔｈでの認証データの送信要求があれば、ステップＳ３４７で赤外線またはＢｌｕｅｔｏｏｔｈで認証データを送信する。
【００９０】
受信したデータが認証データでなければ、ステップＳ３４９でそれがプリントデータかの判断を行い、プリントデータであればステップＳ３５１でプリントを開始する。
【００９１】
図１５は、図１４のステップＳ３４３で操作パネルに表示される認証データの具体例を示す図である。
【００９２】
認証データ受信時に、図１５に示される表示がＭＦＰで行なわれる。ここで、ユーザが「認証データ送信」ボタンを押下すると、赤外線またはＢｌｕｅｔｏｏｔｈ通信を利用して、認証データを携帯端末５００で取得することが出来る。
【００９３】
なお、図１５の表示が数秒〜数分放置された場合、デフォルトの画面に戻るものとする。また、「認証データ送信」ボタンが押下された時は、データ送信後、デフォルト画面に戻るものとする。デフォルト画面に戻った後でも、認証データはＲＡＭ内に一時保管され、そのデータは任意に表示させることができる。そしてＭＦＰが再起動されることで削除される。データを任意の時に表示させるために、デフォルト画面内にそのためのボタンを設けることができる。
【００９４】
［その他］
なお、ＭＦＰがサーバの機能を兼ね備えるようにしてもよい。
【００９５】
また、携帯端末からの検索条件の入力に伴い、サーバ内のデータの検索を行ない、プリントデータの特定を行なうようにしてもよい。
【００９６】
なお、携帯端末５００から撮影画像をサーバに送信し、そこで画像解析を行ない、ＭＦＰや認証データを特定することで、携帯端末には特別なアプリケーションを持つ必要が無くなるという効果があるが、携帯端末内で画像解析を行なってもよい。
【００９７】
なお、データを出力したいＭＦＰを特定するための情報として、ＩＰアドレスなどを携帯端末５００からサーバ４００に送るようにしてもよい。
【００９８】
また、ＭＦＰが一定時間経つとＲＡＭなどに保存されている認証データを削除するように構成してもよい。
【００９９】
また、ユーザからの指示でＲＡＭなどに保存されている認証データを削除するようにＭＦＰを構成してもよい。
【０１００】
また、ＭＦＰへのデータの送信は、電子メール、ＩＰアドレスを指定しての送信などの送信方法を用いることができる。また、送信方法をユーザに選択させるようにしてもよい。
【０１０１】
なお、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して装置にダウンロードするようにしてもよい。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０３】
【図１】本発明の実施の形態の１つにおけるデータ出力システムの構成を示す図である。
【図２】図１のＭＦＰ１００ａ，１００ｂの一台の構成を示すブロック図である。
【図３】図１のサーバ４００のハードウェア構成を示すブロック図である。
【図４】サーバ４００の機能を示すブロック図である。
【図５】携帯端末５００の構成を示す図である。
【図６】ＭＦＰ１００、サーバ４００、および携帯端末５００とで行なわれるデータの送受信を説明するための図である。
【図７】サーバ４００の動作を示すフローチャートである。
【図８】図７のＷｅｂページ作成処理を示すフローチャートである。
【図９】図７の認証データ作成処理を示すフローチャートである。
【図１０】図７の認証データ照合処理を示すフローチャートである。
【図１１】携帯端末が行なう処理を示すフローチャートである。
【図１２】ＭＦＰが行なう処理を示すフローチャートである。
【図１３】図１２のステップＳ３０１でのＭＦＰ情報表示処理を示すフローチャートである。
【図１４】図１２のステップＳ３０３でのデータ受信処理を示すフローチャートである。
【図１５】図１４のステップＳ３４３で操作パネルに表示される認証データの具体例を示す図である。
【符号の説明】
【０１０４】
１００ａ，１００ｂ  ＭＦＰ、１０７  通信インタフェース、１０９  赤外線通信部、１１１  Ｂｌｕｅｔｏｏｔｈ通信部、１１３  操作パネル、１１５  ハードディスク、１１９  プリンタ、２０７  通信インタフェース、２１１  認証データ解析部、２１３  Ｗｅｂページ作成部、４００  サーバ、５００  携帯端末、５０７  通信部、５１３  カメラ、６１５  ハードディスク。
【図１】
2005327110.tif 000003
【図２】
2005327110.tif 000004
【図３】
2005327110.tif 000005
【図４】
2005327110.tif 000006
【図５】
2005327110.tif 000007
【図６】
2005327110.tif 000008
【図７】
2005327110.tif 000009
【図８】
2005327110.tif 000010
【図９】
2005327110.tif 000011
【図１０】
2005327110.tif 000012
【図１１】
2005327110.tif 000013
【図１２】
2005327110.tif 000014
【図１３】
2005327110.tif 000015
【図１４】
2005327110.tif 000016
【図１５】
2005327110.tif 000017